(57)【特許請求の範囲】
【請求項１】
店舗内を照明する照明システムであって、
店舗内に展示された商品を照明する重点照明器具と、それぞれ全光点灯と全光点灯よりも光出力を低下させた調光点灯とが可能であって店舗内において重点照明器具よりも広い範囲を照明する複数個のベース照明器具と、店舗の入り口付近の人体の存在を検知する入り口人感センサと、それぞれ店舗内における人体の存在を検知する複数個の店舗内人感センサと、入り口人感センサの出力及び店舗内人感センサの出力に基いて各ベース照明器具をそれぞれ制御する制御装置とを備え、
制御装置は、入り口人感センサと店舗内人感センサとのいずれにも人体が検知されていないときには全てのベース照明器具を全光点灯させ、入り口人感センサに人体が検知されたときに全てのベース照明器具を調光点灯させ、店舗内人感センサに人体が検知されたときにベース照明器具のうち人体が検知された店舗内人感センサの検知範囲を主に照明するものだけを全光点灯させることを特徴とする照明システム。
【発明の詳細な説明】
【技術分野】
【０００１】
本発明は、店舗内を照明する照明システムに関するものである。
【背景技術】
【０００２】
従来から、全光点灯と調光点灯とが可能な照明器具と、人体を検知する人感センサと、人感センサによって人体が検知されていないときには照明器具を調光点灯させ、人感センサによって人体が検知されているときには照明器具を全光点灯させる制御装置とを備える照明システムが提供されている（例えば、特許文献１参照）。このような照明システムによれば、常に照明器具を全光点灯させる場合に比べ、消費電力を低減することができる。
【特許文献１】特開２００３−１７８８９２号公報
【発明の開示】
【発明が解決しようとする課題】
【０００３】
ところで、店舗においては、店内の明るさを確保するためのベース照明器具の他、来客を特定の商品又は商品群の所へ引き付けてその商品又は商品群に属する商品の購入を促進するために、その商品又は商品群を照明するスポットライトのような重点照明器具が設けられることがある。この場合、上記従来の照明システムのように、人が店舗内に入ったときにベース照明器具を全光点灯させると、重点照明器具による引き付け効果が薄れることになる。
【０００４】
本発明は上記事由に鑑みて為されたものであり、その目的は、重点照明器具による引き付け効果が有効に発揮される照明システムを提供することにある。
【課題を解決するための手段】
【０００５】
請求項１の発明は、店舗内を照明する照明システムであって、店舗内に展示された商品を照明する重点照明器具と、それぞれ全光点灯と全光点灯よりも光出力を低下させた調光点灯とが可能であって店舗内において重点照明器具よりも広い範囲を照明する複数個のベース照明器具と、店舗の入り口付近の人体の存在を検知する入り口人感センサと、店舗内における人体の存在を検知する複数個の店舗内人感センサと、入り口人感センサの出力及び店舗内人感センサの出力に基いて各ベース照明器具をそれぞれ制御する制御装置とを備え、制御装置は、入り口人感センサと店舗内人感センサとのいずれにも人体が検知されていないときには全てのベース照明器具を全光点灯させ、入り口人感センサに人体が検知されたときに全てのベース照明器具を調光点灯させ、店舗内人感センサに人体が検知されたときにベース照明器具のうち人体が検知された店舗内人感センサの検知範囲を主に照明するものだけを全光点灯させることを特徴とする。
【発明の効果】
【０００６】
本発明によれば、店舗内と入り口付近とのいずれにも人が存在しないときには、全てのベース照明器具を全光点灯させて店舗内を明るくするから、店舗外の人を店舗内へ引き付ける効果が期待できる。また、入り口付近に人が訪れたときには、全てのベース照明器具を調光点灯させるから、ベース照明器具を常に全光点灯させる場合に比べ、消費電力が低減される上に、重点照明器具による照明範囲が目立つことになるので重点照明器具による引き付け効果が有効に発揮される。さらに、人が店舗の奥に入ったときには、人の周囲でベース照明器具が全光点灯に切り替わるから、通行の安全が確保される。
【発明を実施するための最良の形態】
【０００７】
以下、本発明を実施するための最良の形態について、図面を参照しながら説明する。
【０００８】
本実施形態の概略構成を図２を用いて説明する。図２は、本実施形態が適用される店舗内を示す平面図に、それぞれ天井ＣＥ（図３参照）や天井ＣＥ付近のダクト（図示せず）に取り付けられた照明器具１，２の位置をそれぞれハッチング付きの円と正方形とで示したものである。本実施形態は、１個の出入り口Ｅを有する室内に、商品としての衣服が展示された棚ＳＨとレジスターＣＣと試着室ＦＲとが設けられた店舗内を照明するものであり、例えばハッチング付き円で示す各位置にそれぞれ設けられ店舗内において特定の棚ＳＨ上の商品や商品群を照明する重点照明器具１と、例えばハッチング付き正方形で示す位置にそれぞれ設けられ店舗内において重点照明器具１よりも広い範囲を照明する複数個（図では１６個）のベース照明器具２とを備える。重点照明器具１は、照明された場所に来客を引き付けることを目的とし、販売を促進したい特定の商品又は商品群を照明するものであって、複数個設けられたうちの一部のみが点灯されることもある。また、商品が陳列され店舗内から照明されるショーウィンドーＳＷが出入り口Ｅの側方に設けられている。重点照明器具１やベース照明器具２は、店舗の天井ＣＥ（図３参照）や、天井ＣＥ付近に配設された配管ダクト（図示せず）に取り付けられる。重点照明器具１としては、例えば図３に示すように、光源としてのハロゲンランプ１１と、ハロゲンランプ１１の光を配光する反射板１２と、ハロゲンランプ１１と反射板１２とを保持する器具本体１３と、天井ＣＥに固定され天井ＣＥに対して器具本体１３を回動自在に支持するアーム１４とを備えるスポットライトが用いられる。また、ベース照明器具２としては、例えば図４（ａ）（ｂ）に示すように、光源としての直管型の蛍光灯２１と、蛍光灯２１の光を配光する反射板２２と、反射板２２とを保持して天井ＣＥに取り付けられる器体２３とを備える照明器具や、図５（ａ）（ｂ）に示すように、光源としてのハロゲンランプ２４と、ハロゲンランプ２４の光を配光する反射板２５と、ハロゲンランプ２４と反射板２５とを保持して天井ＣＥに埋込配設される器体２６とを備えるダウンライトを用いることができる。
【０００９】
さらに、出入り口Ｅ付近において例えば図１（ａ）に示すような検知範囲Ｚ１内の人体の存在を検知する入り口人感センサ３と、店舗内において例えば図１（ｂ）に示すような検知範囲Ｚ２内の人体の存在を検知する複数個（図では６個）の店舗内人感センサ４とを備える。入り口人感センサ３は、出入り口Ｅが全幅にわたって検知範囲Ｚ１でカバーされるように配置され、店舗内人感センサ４は店舗内の略全域が検知範囲Ｚ２でカバーされるように配置されている。入り口人感センサ３及び店舗内人感センサ４は、それぞれ例えば人体から発せられる熱線を検知する周知の焦電センサを用いて実現することができる。
【００１０】
また、図６に示すように、入り口人感センサ３の出力と店舗内人感センサ４の出力とに基いて、各ベース照明器具２をそれぞれ全光点灯と全光点灯よりも光出力が低い調光点灯とのいずれかの点灯状態に制御する制御装置５を備える。
【００１１】
具体的に説明すると、制御装置５は、例えば信号線を介して入り口人感センサ３と店舗内人感センサ４とにそれぞれ接続された入力部５１と、例えば信号線を介して各ベース照明器具２に接続された出力部５２と、人体が検知されたことを示す電気信号が入力部５１に入力されたときにいずれの人感センサ３，４で人体が検知されたかに応じてベース照明器具２に全光点灯と調光点灯との切り替えを指示する制御信号を生成するとともに出力部５２を制御して制御信号の対象となるベース照明器具２に制御信号を送信させる制御部５３とを備える。
【００１２】
制御装置５の動作について説明する。制御部５３は、始動直後と、いずれの人感センサ３，４でも人体が検知されなくなったときとには、全てのベース照明器具２に全光点灯を指示する。つまり、入り口人感センサ３と店舗内人感センサ４とのいずれにも人体が検知されていないときは、全てのベース照明器具２を全光点灯させる。
【００１３】
また、入り口人感センサ３に人体が検知されると、制御部５３は、全てのベース照明器具２に調光点灯を指示する。
【００１４】
さらに、店舗内人感センサ４に人体が検知されると、制御部５３は、ベース照明器具２のうち人体が検知された店舗内人感センサ４の検知範囲Ｚ２を主に照明するものに対して全光点灯を指示する。例えば、図１（ｂ）の場合、人体が検知された店舗内人感センサ４の検知範囲Ｚ２の真上に位置する２個又は４個のベース照明器具２に対して全光点灯を指示する。以下、ベース照明器具２のうち、ある店舗内人感センサ４の検知範囲Ｚ２を主に照明するものを、その店舗内人感センサ４に対応するベース照明器具２と呼ぶ。
【００１５】
なお、上記動作の優先順位としては、店舗内人感センサ４の出力による動作を最優先とし、店舗内人感センサ４に人体が検知されている間は、入り口人感センサ３に人体が検知された場合であっても、人体が検知されている店舗内人感センサ４に対応するベース照明器具２には調光点灯を指示することはなく、全光点灯を維持させるものとする。
【００１６】
上記構成によれば、店舗内と入り口付近とのいずれにも人が存在しないときには、全てのベース照明器具２を全光点灯させて店舗内を明るくするから、店舗外の人を店舗内へ引き付ける効果が期待できる。
【００１７】
また、入り口付近に人が訪れたときには、全てのベース照明器具２を調光点灯させるから、ベース照明器具２を常に全光点灯させる場合に比べ、消費電力が低減される。さらに、調光点灯時には、重点照明器具１によって照明される範囲の照度とベース照明器具２によってのみ照明される範囲の照度との差が大きくなる。例えば、調光点灯時のベース照明器具２による水平面照度を全光点灯時の５０％〜７０％とし、重点照明器具１によって照明される範囲の鉛直面照度ＥＯＶの、ベース照明器具２によってのみ照明される範囲の水平面照度ＥＢＨに対する比（以下、「重点照度比」と呼ぶ。）ＥＯＶ／ＥＢＨを、ベース照明器具２の全光点灯時に３とすると、ベース照明器具２の調光点灯時には、重点照度比ＥＯＶ／ＥＢＨは、４．０〜６．０となる。昭和６０年照明学会全国大会「５４  店舗照明におけるスポットライトの引き付け効果に及ぼす照明量の検討」（松島  公嗣、清野  八州一、出渕  義彦）の予稿では、重点照度比ＥＯＶ／ＥＢＨが３では引き付け効果が「やや強い」とされ、重点照度比ＥＯＶ／ＥＢＨが４．０〜６．０では引き付け効果が「かなり強い〜非常に強い」とされている。つまり、重点照明器具１による照明範囲が目立つことになるので、重点照明器具１による引き付け効果が有効に発揮される。
【００１８】
さらに、人が店舗の奥に入ったときには、人の周囲でベース照明器具２が全光点灯に切り替わるから、通行の安全が確保される上に、重点照明器具１に照明されない商品も見やすくなる。
【００１９】
また、人が店舗内を移動し、人体が検知される店舗内人感センサ４が変化したとき、制御部５３が、人体が検知されなくなった店舗内人感センサ４に対応するベース照明器具２に対して調光点灯を指示するようにしてもよい。この場合、人がいる場所のみベース照明器具２が全光点灯することになり、人が店舗内を一通り回遊した後にも重点照明器具１の引き付け効果が維持される。
【図面の簡単な説明】
【００２０】
【図１】本発明の実施形態を示す説明図であり、（ａ）は入り口人感センサの検知範囲を示し、（ｂ）は店舗内人感センサの検知範囲を示す。
【図２】同上が用いられる環境を示す説明図である。
【図３】重点照明器具の一例を示す概略構成図である。
【図４】ベース照明器具の一例を示す概略構成図であり、（ａ）は平面図、（ｂ）は断面図である。
【図５】ベース照明器具の別の例を示す概略構成図であり、（ａ）は平面図、（ｂ）は断面図である。
【図６】本発明の実施形態を示すブロック図である。
【符号の説明】
【００２１】
１  重点照明器具
２  ベース照明器具
３  入り口人感センサ
４  店舗内人感センサ
５  制御装置
Ｅ  出入り口
【図１】
0004548246.tif 000002
【図２】
0004548246.tif 000003
【図３】
0004548246.tif 000004
【図４】
0004548246.tif 000005
【図５】
0004548246.tif 000006
【図６】
0004548246.tif 000007